(57)【要約】【課題】  下層紙に疑似スレッドが印刷され、上層紙で前記疑似スレッドが隠蔽されている偽造防止用紙を提供することを目的とする。【解決手段】  疑似スレッド１０を用いた偽造防止用紙であって、前記偽造防止用紙は、上層紙２０と下層紙４０が積層された多層構造をなし、前記疑似スレッド１０は少なくとも前記上層紙２０と前記下層紙４０のいずれか一方に印刷された印刷層で、前記偽造防止用紙を透かすことにより前記疑似スレッド１０として印刷された絵柄が目視可能となることを特徴とする偽造防止用紙により、上記課題を解決した。【選択図】  図１
2015150832.tif 000002
【特許請求の範囲】
【請求項１】
疑似スレッドを用いた偽造防止用紙であって、前記偽造防止用紙は、上層紙と下層紙が積層された多層構造をなし、前記疑似スレッドは少なくとも前記上層紙と前記下層紙のいずれか一方に印刷された印刷層で、前記偽造防止用紙を透かすことにより前記疑似スレッドとして印刷された絵柄が目視可能となることを特徴とする偽造防止用紙。
【請求項２】
前記上層紙と前記下層紙の何れかの対向面には接着剤層が設けられていることを特徴とする請求項１記載の偽造防止用紙。
【請求項３】
前記上層紙または前記下層紙は、紙あるいは合成紙を用いたことを特徴とする請求項１または２記載の偽造防止用紙。
【請求項４】
前記上層紙の厚さが、３０μｍ〜４００μｍの範囲であることを特徴とする請求項１〜３のいずれか一項記載の偽造防止用紙。
【請求項５】
前記下層紙の厚さが、１００μｍ〜４００μｍの範囲であることを特徴とする請求項１〜４のいずれか一項記載の偽造防止用紙。
【発明の詳細な説明】
【技術分野】
【０００１】
本発明は、偽造防止用紙に関し、さらに詳しくは下層紙に疑似スレッドが印刷され、上層紙で隠蔽していることを特徴とする偽造防止用紙に関するものである。
【背景技術】
【０００２】
従来から、紙幣、商品券、ギフト券（百貨店、スーパーマーケット）、旅行券、ビール券、図書券、文具券、おこめ券、切手、小切手、手形、株券、株主優待券、債券、乗車券、入場券（映画、コンサート、イベント）、パスポート、身分証明書、カード、プリペイドカード、プリペイド式携帯電話カード等のセキュリティー製品の偽造防止用に様々な印刷・加工技術が開発されてきた。
【０００３】
セキュリティー製品の偽造防止用の印刷・加工技術としては、セキュリティー製品に紫外線を照射すると発光する蛍光インキや、セキュリティー製品を傾けると色調が変化するパール光沢インキ、ルーペで拡大するとセキュリティー製品の真偽が確認できるマイクロ文字、独特な立体感があるホログラムを貼付したセキュリティー製品、抄紙機によりスレッド（紙層中に糸状あるはテープ状物を抄きこんだもの）を抄きこんだ偽造防止用紙などがある。
【０００４】
それらの中でも、偽造防止用紙は、抄き込みに関する特殊な技術が必要であり、偽造されにくい。例えばホログラム加工したフィルムを用紙に抄きこんだ偽造防止用紙（ホログラム偽造防止用紙）、特殊印刷や特殊加工したフィルムを用紙に抄きこんだ偽造防止用紙（例えば、アメリカ１００ドル紙幣のモーションスレッド）、磁性スレッドを抄きこんだ偽造防止用紙などがある（例えば、特許文献１参照）。
【０００５】
しかしながら、偽造防止用紙に用いられるスレッドには、金糸、銀糸、プラスチックフィルム、金属蒸着フィルム等が用いられており、スレッド自体が高価であり、加工代もかかるという問題がある。さらにスレッドを偽造防止用紙から引っ張り出して、そのスレッドを流用されてしまうという懸念もあった。
【先行技術文献】
【特許文献】
【０００６】
【特許文献１】特許第４５０８６７４号公報
【発明の概要】
【発明が解決しようとする課題】
【０００７】
そこで本発明は、下層紙に疑似スレッドが印刷され、上層紙で前記疑似スレッドが隠蔽されている偽造防止用紙を提供することを目的とする。
【課題を解決するための手段】
【０００８】
本発明に係わる偽造防止用紙は、以下の各発明により上記課題を解決した。なお、以下の各発明に付した括弧内の符号は、図面に付した符号と対応している。
【０００９】
本発明に係わる第１の発明は、疑似スレッド（１０）を用いた偽造防止用紙であって、前記偽造防止用紙は、上層紙（２０）と下層紙（４０）が積層された多層構造をなし、前記疑似スレッド（１０）は少なくとも前記上層紙（２０）と前記下層紙（４０）のいずれか一方に印刷された印刷層で、前記偽造防止用紙を透かすことにより前記疑似スレッド（１０）として印刷された絵柄が目視可能となることを特徴とする偽造防止用紙である。
【００１０】
本発明に係わる第２の発明は、第１の発明において、前記上層紙（２０）と前記下層紙（４０）の何れかの対向面には接着剤層が設けられていることを特徴とする偽造防止用紙である。
【００１１】
本発明に係わる第３の発明は、第１の発明または第２の発明において、前記上層紙（２０）または前記下層紙（４０）は、紙あるいは合成紙を用いたことを特徴とする偽造防止用紙である。
【００１２】
本発明に係わる第４の発明は、第１の発明から第３の発明のいずれか一つの発明において、前記上層紙（２０）の厚さが、３０μｍ〜４００μｍの範囲であることを特徴とする偽造防止用紙である。
【００１３】
本発明に係わる第５の発明は、第１の発明から第４の発明のいずれか一つの発明において、  前記下層紙（４０）の厚さが、１００μｍ〜４００μｍの範囲であることを特徴とする偽造防止用紙である。
【発明の効果】
【００１４】
下層紙に印刷を施した疑似スレッドを形成し、上層紙で隠蔽することにより、従来のスレッドよりも低コストで製造することができるという効果がある。また印刷された疑似スレッドであるため流用されることがないという効果もある。さらに、偽造防止用紙が疑似スレッドを含めて紙基材のため廃棄方法が簡便であり、環境への負荷を減らすという意味でも大きな効果がある。
【図面の簡単な説明】
【００１５】
【図１】本実施形態に係わる偽造防止用紙の正面図の一例である。
【図２】図１のＡ−Ａ断面図の一例である。
【図３】図１のＡ−Ａ断面図の別の一例である。
【図４】図１のＡ−Ａ断面図の別の一例である。
【図５】図１のＡ−Ａ断面図の別の一例である。
【図６】図１のＡ−Ａ断面図の別の一例である。
【図７】図１のＡ−Ａ断面図の別の一例である。
【図８】図１のＡ−Ａ断面図の別の一例である。
【図９】図１のＡ−Ａ断面図の別の一例である。
【発明を実施するための形態】
【００１６】
次に、本発明の実施形態について、図面を参照して詳述する。
図１は、本実施形態に係わる偽造防止用紙の正面図の一例である。図１において、１０は疑似スレッド、２０は上層紙を示している。疑似スレッド１０は、上層紙２０により隠蔽されており通常の状態では目視不可能である。
【００１７】
図２は、図１のＡ−Ａ断面図の一例である。図２において、３０は上層紙、４０は下層紙、５０は疑似スレッド、Ｐは圧力を加えた状態、Ｑは熱を加えた状態を示している。本実施形態の偽造防止用紙は上層紙３０と下層紙４０が積層された多層構造を形成しており、上層紙３０に対向する下層紙４０の一方の面には、疑似スレッド５０が印刷されている。Ａ−Ａ断面に示すように印刷された疑似スレッド５０は表面から隠れて目視することは困難である。疑似スレッド５０の印刷の例としては、通常のベタ印刷の他、見る角度によって色彩が変化する色彩可変印刷やパール顔料を含有するパールインキを用いて形成されたパール印刷など偽造防止用紙を傾けると色や光沢が変化する印刷を施すのでもよい。
【００１８】
上層紙３０と下層紙４０とを圧力を加えて接合することにより偽造防止用紙が形成されるかあるいは上層紙３０と下層紙４０とを熱を加えて接合することにより偽造防止用紙が形成される。
【００１９】
図には示されていないが、上層紙３０と下層紙４０との接着性を向上させるために、上層紙３０あるいは下層紙４０の何れかの対向面には接着剤が設けられていてもよい。一般的な接着剤、例えば、合紙用接着剤を用いることができる。すなわちスティック糊やアロンアルファ（登録商標）のような乾燥させるタイプのものでも可能である。その他の接着剤として感圧接着剤を用いることができ、感圧接着剤としては、例えば、天然ゴム（ＮＲ）、エステル化天然ゴム、スチレン・ブタジエンゴム（ＳＢＲ）、クロロプレンゴム、ポリ酢酸ビニル、ポリメチルメタクリレート（ＰＭＭＡ）が好適に用いられる。接着付与剤としてロジン、水添ロジン、不均化ロジン、重合ロジン、変成ロジン、ロジンエステル、水添ロジンエステル、不均化ロジンエステル、重合ロジンエステル等を適宜添加することができる。
【００２０】
さらに、上層紙３０と下層紙４０との接着性を向上させるために、上層紙３０あるいは下層紙４０の何れかの対向面には感熱接着剤が設けられていてもよい。感熱接着剤としては、例えば、エチレン−酢酸ビニル共重合体（ＥＶＡ）、エチレン−アクリル酸エステル共重合体（ＥＥＡ）、ポリブテン、石油樹脂、塩化ビニル−酢酸ビニル共重合体、ポリ酢酸ビニル等が用いられる。また、上層紙３０と下層紙４０との間に例えば、ポリ塩化ビニル樹脂フィルムのように圧力をかけることにより接着されるような樹脂フィルムを設けてもよい。
【００２１】
上層紙３０と下層紙４０に用いられる紙、若しくは板紙は、一般的には、その使用目的により、印刷用紙・情報用紙、包装用紙、衛生用紙、雑種紙、段ボール原紙、紙器用板紙に大別される。さらに小分類としては、上質紙、中質紙、色上質紙、アート紙、コート紙、マットコート紙、ミラーコート紙、アートポスト、ケント紙、更紙、ノーカーボン紙、模造紙、グラシン紙、再生紙、白板紙、色板紙、加工紙、上級印刷紙、中級印刷紙、下級印刷紙、微塗工紙、軽量コート紙、樹脂含浸紙、合成紙、インクジェット用紙、ＰＯＤ用紙、昇華熱転写用紙等のプリンター用紙、フォーム用紙、ノーカーボン紙、感熱紙、ＯＣＲ用紙、ＯＭＲ用紙、磁気記録紙、未晒クラフト紙・半晒クラフト紙、塗工晒クラフト紙、再生可能防湿紙、表面に様々なエンボス加工を加えた紙、他の素材を混ぜ合わせた紙、風合いを出した紙、パール加工紙、ライナー、中芯原紙、非塗工紙、塗工紙、木材パルプを原料とし機械により大量生産された洋紙に対して、楮、三椏、雁皮、麻、檀を原料とした和紙等がある。
【００２２】
上層紙３０と下層紙４０に用いられる上記以外の材料としては、樹脂フィルムを用いることができる。樹脂フィルムとしては、ポリエチレン（ＰＥ）、ポリプロピレン（ＰＰ）、延伸ポリプロピレン（ＯＰＰ）、ポリスチレン（ＰＳ）、メタクリル樹脂、アクリル樹脂、ＡＢＳ樹脂（ＡＢＳ）、ポリ塩化ビニル等が用いられる。
【００２３】
上層紙の厚さの好ましい範囲は、連量で２０ｋｇ／四六版〜１００ｋｇ／四六版で、より好ましい範囲は、連量で３０ｋｇ／四六版〜７０ｋｇ／四六版である。すなわち、上層紙の厚さが、３０μｍ〜４００μｍの範囲が偽造防止用紙として好適である。
【００２４】
下層紙の厚さの好ましい範囲は、連量で１００ｋｇ／四六版〜１５０ｋｇ／四六版である。すなわち、下層紙の厚さが１００μｍ〜４００μｍの範囲が疑似スレッドを印刷するのに好適である。
【００２５】
図３は、図１のＡ−Ａ断面図の別の一例である。図３において、６０は上層紙、７０は下層紙、８０はパターン印刷層、９０は下地印刷層、９５は疑似スレッドを示しており、パターン印刷層８０と下地印刷層９０とを合わせたものが疑似スレッド９５である。図３は、上層紙６０と下層紙７０とを貼り合わせる状態の模式図であり、貼り合わせた後の偽造防止用紙は、透かして見た場合にパターン印刷層８０の絵柄やロゴ等が目視可能となり、偽造防止用紙としての機能を有する。下地印刷層９０とパターン印刷層８０のコントラストが強いと偽造防止用紙を透かして見た場合にパターン印刷層８０の絵柄やロゴ等が明瞭に視認できる。例えば、白色のインキで下地印刷層９０を印刷し、さらに黒色のインキでパターン印刷層８０を重ね印刷する方法等を用いることができる。
【００２６】
図４は、図１のＡ−Ａ断面図の別の一例である。図４において、１００は上層紙、１１０は下層紙、１２０は下地印刷層、１３０はパターン印刷層、１３５は疑似スレッドを示している。図４では、疑似スレッド１３５を上層紙１００に印刷した場合を表しており、パターン印刷層１３０を下層紙１１０側から透かして視認する。
【００２７】
図５は、図１のＡ−Ａ断面図の別の一例である。図５において、２００は上層紙、２１０は下層紙、２２０はパターン印刷層、２３０は下地印刷層、２４０はパターン印刷層、２４５は疑似スレッドを示している。図５では疑似スレッド２４５は下層紙２１０に印刷されている。下地印刷層２３０の両面にパターン印刷層２２０とパターン印刷層２４０が重ね印刷されており、上層紙２００と下層紙２１０の両面から透かして見た場合に絵柄やロゴ等が明瞭に視認可能であるため顕著な偽造防止効果が得られる。
【００２８】
図６は、図１のＡ−Ａ断面図の別の一例である。図６において、３００は上層紙、３１０は下層紙、３２０はパターン印刷層、３３０は下地印刷層、３４０はパターン印刷層、３４５は疑似スレッドを示している。図６では疑似スレッド３４５は上層紙３００に印刷されている。下地印刷層３３０の両面にパターン印刷層３２０とパターン印刷層３４０が重ね印刷されており、上層紙３００と下層紙３１０の両面から透かして見た場合に絵柄やロゴ等が明瞭に視認可能であるため顕著な偽造防止効果が得られる。
【００２９】
図７は、図１のＡ−Ａ断面図の別の一例である。図７において、４００は上層紙、４１０は下層紙、４２０はパターン印刷層のみの疑似スレッドを示している。パターン印刷層のみの疑似スレッド４２０は下層紙４１０に形成されている。パターン印刷層のみの疑似スレッド４２０は、絵柄やロゴ等のパターン印刷層だけで構成されているため、インキの量を大幅に削減することができる。
【００３０】
図８は、図１のＡ−Ａ断面図の別の一例である。図８において、４００は上層紙、４１０は下層紙、４２０はパターン印刷層のみの疑似スレッドを示している。パターン印刷層のみの疑似スレッド４２０は、上層紙４００に形成されている。下層紙４１０を厚くすると、パターン印刷層のみの疑似スレッド４２０は下層紙４１０の面からは視認できず、上層紙４００の面からのみ視認することが可能となる。
【００３１】
図９は、図１のＡ−Ａ断面図の別の一例である。図９において、５００は上層紙、５１０は下層紙、５２０はパターン印刷層、５３０はパターン印刷層である。パターン印刷層５２０は上層紙５００に印刷されており、パターン印刷層５３０は下層紙５１０に印刷されているので上層紙５００と下層紙５１０とを貼り合わせた後に上層紙５００と下層紙５１０とを剥がそうとすると、絵柄あるいはロゴ等が泣き別れになり偽造することが困難になる。
【００３２】
前記下地印刷層９０は、見る角度によって色彩が変化する色彩可変印刷やパール顔料を含有するパールインキを用いて形成されたパール印刷等である。前記パールインキを用いると上層紙と下層紙との間にあたかもスレッドが存在しているかのごとく形成することができる。前記パターン印刷層８０は、下地印刷層９０の上に印刷されるもので、従来の印刷インキで形成してもよいが、さらに偽造防止用紙の偽造防止効果を上げるために蛍光インキあるいはフォトクロミックインキで形成するのが好適である。紫外光を吸収して蛍光を発するインキとして例えば、ＮａＣｌやＫＣｌのようなハロゲン化アルカリ、シリコンのような元素半導体、ＺｎＳ、ＣｄＳ、ＧａＰ、ＧａＡｓのような化合物半導体、Ａｌ２Ｏ３やＹ３ Ａｌ５Ｏ１２のような金属酸化物、ＺｎＳｉＯ４のようなケイ酸塩等の蛍光顔料をビヒクルに添加して得られる蛍光インキを用いて形成することができる。フォトクロミックインキとして、有機系フォトクロミック材料としては、レチナール含有ロドプシン、フルギド系化合物、スピロピラン系化合物、スピロナフトオキサジン系化合物、イミダゾール系化合物、ジアリールエテン系化合物、アゾベンゼン系化合物、チオインジゴ系化合物、トリフェニル系化合物、スチルベン系化合物、サリチリジアニル系化合物、ロイコ系化合物、ビオロゲン系化合物、多環芳香族化合物等がある。スピロピラン系化合物は通常無色で紫外線を照射すると紫色に発色する。スピロナフトオキサジン系化合物、ジアリールエテン系化合物、フルギド系化合物は光発色消色などの繰り返し耐久性に優れ、ジアリールエテン系化合物とフルギド系化合物は熱不可逆性に優れている。これらの中でも、スピロピラン系化合物、スピロナフトオキサジン系化合物、フルギド系化合物、ジアリールエテン系化合物等が特に好ましい。
無機系フォトクロミック材料としては、銀粒子、銅粒子の単体あるいはそれらの共融混合物、塩化銀、臭化銀、ヨウ化銀等のハロゲン化銀、酸化タングステン、酸化モリブデン、酸化ニオブ、銀粒子担持酸化チタン、酸化タングステンー酸化チタン、金属錯体、バリウムマグネシウムケイ酸塩等がある。
【００３３】
以下、具体的な実施例について説明する。
【００３４】
（実施例１）
厚さ３０μｍの上層紙３０を用いた。一方、厚さ１００μｍの下層紙４０に黒色の下地印刷層である疑似スレッド５０を形成した。接着剤を用いて上層紙３０と下層紙４０とを貼り合わせ偽造防止用紙とした。
【００３５】
（実施例２）
厚さ３０μｍの上層紙６０を用いた。一方、厚さ１００μｍの下層紙７０に橙色の下地印刷層９０を形成した。さらに下地印刷層９０の上に青色インキでパターニングしパターン印刷層８０を形成した。接着剤を用いて上層紙６０と下層紙７０とを貼り合わせ偽造防止用紙とした。
【００３６】
（実施例３）
厚さ３０μｍの上層紙１００を用い、上層紙１００に橙色の下地印刷層１２０を形成した。さらに下地印刷層１２０の上に青色インキでパターニングしパターン印刷層１３０を形成した。接着剤を用いて上層紙１００と下層紙１１０とを貼り合わせ偽造防止用紙とした。
【００３７】
（実施例４）
厚さ３０μｍの上層紙２００を用いた。一方、厚さ１００μｍの下層紙２１０に青色インキでパターニングしパターン印刷層２４０を形成し、その上に橙色の下地印刷層２３０を形成し、さらに青色インキでパターニングしパターン印刷層２２０を形成した。接着剤を用いて上層紙２００と下層紙２１０とを貼り合わせ偽造防止用紙とした。
【００３８】
（実施例５）
厚さ３０μｍの上層紙３００を用い、青色インキでパターニングしパターン印刷層３４０を形成し、その上に橙色の下地印刷層３３０を形成し、さらに青色インキでパターニングしパターン印刷層３２０を形成した。一方、厚さ１００μｍの下層紙３１０に接着剤を用いて上層紙３００と下層紙３１０とを貼り合わせ偽造防止用紙とした。
【００３９】
（実施例６）
厚さ３０μｍの上層紙４００を用いた。一方、厚さ１００μｍの下層紙４１０に青色インキでパターニングしパターン印刷層のみの疑似スレッド４２０を形成した。接着剤を用いて上層紙４００と下層紙４１０とを貼り合わせ偽造防止用紙とした。
【００４０】
（実施例７）
厚さ３０μｍの上層紙５００を用い、青色インキでパターニングしパターン印刷層のみの疑似スレッド５２０を形成した。一方、厚さ４００μｍの下層紙５１０に接着剤を用いて上層紙５００と下層紙５１０とを貼り合わせ偽造防止用紙とした。
【００４１】
（実施例８）
厚さ３０μｍの上層紙６００を用い、青色インキでパターニングしパターン印刷層のみの疑似スレッド６２０を形成した。一方、厚さ１００μｍの下層紙６１０に橙色のインキでパターニングしパターン印刷層のみの疑似スレッド６３０を形成し、接着剤を用いて上層紙６００と下層紙６１０とを貼り合わせ偽造防止用紙とした。
【符号の説明】
【００４２】
１０      疑似スレッド
２０      上層紙
３０      上層紙
４０      下層紙
５０      疑似スレッド
Ｐ        圧力を加えた状態
Ｑ        熱を加えた状態
６０      上層紙
７０      下層紙
８０      パターン印刷層
９０      下地印刷層
９５      疑似スレッド
１００    上層紙
１１０    下層紙
１２０    下地印刷層
１３０    パターン印刷層
１３５    疑似スレッド
２００    上層紙
２１０    下層紙
２２０    パターン印刷層
２３０    下地印刷層
２４０    パターン印刷層
２４５    疑似スレッド
３００    上層紙
３１０    下層紙
３２０    パターン印刷層
３３０    下地印刷層
３４０    パターン印刷層
３４５    疑似スレッド
４００    上層紙
４１０    下層紙
４２０    パターン印刷層のみの疑似スレッド
５００    上層紙
５１０    下層紙
５２０    パターン印刷層のみの疑似スレッド
６００    上層紙
６１０    下層紙
６２０    パターン印刷層のみの疑似スレッド
６３０    パターン印刷層のみの疑似スレッド
【図１】
2015150832.tif 000003
【図２】
2015150832.tif 000004
【図３】
2015150832.tif 000005
【図４】
2015150832.tif 000006
【図５】
2015150832.tif 000007
【図６】
2015150832.tif 000008
【図７】
2015150832.tif 000009
【図８】
2015150832.tif 000010
【図９】
2015150832.tif 000011